(57)【特許請求の範囲】
【請求項１】
無端状に連結された複数の踏段と、
前記踏段の側方に配され、下端面を有する透光性のパネルと、
前記下端面に沿って延び前記下端面を下方から支持する上面と前記上面に離間しながら前記上面に沿って延びた空洞部とを有する透光性の支持部材と、
前記空洞部に収容され、少なくとも前記上面の側に発光する光源と、
を備え、
前記パネルは、
前記下端面の第１の端縁から延びた第１の主面と、
前記下端面の第２の端縁から延びた第２の主面と、
をさらに有し、
前記支持部材は、
前記上面を含む本体部と、
前記本体部と一体であり、前記上面の第１の端縁から延びて前記第１の主面を保持する第１の保持部と、
前記本体部と一体であり、前記上面の第２の端縁から延びて前記第２の主面を保持する第２の保持部と、
をさらに有し、
前記空洞部の短手方向の幅は、前記パネルの厚さより小さく、
前記第１の保持部の厚さは、前記パネルの厚さより小さく、
前記第２の保持部の厚さは、前記パネルの厚さより小さく、
前記本体部の前記上面と前記空洞部の上面との間の部分の肉厚は、平面方向に均等に分布する
乗客コンベア。
【請求項２】
前記空洞部は、長手方向に垂直な断面視において略円形状、略楕円形状、略半円形状、略半楕円形状、又は略多角形状を有する
請求項１に記載の乗客コンベア。
【発明の詳細な説明】
【技術分野】
【０００１】
本実施形態は、乗客コンベアに関する。
【背景技術】
【０００２】
無端状に連結された複数の踏段の両側に透光性のパネルを有する乗客コンベアでは、その意匠性を向上するために、パネルを照明することがある。このとき、パネルの照明を適切に行うことが望まれる。
【先行技術文献】
【特許文献】
【０００３】
【特許文献１】特開平７−１５７２７０号公報
【特許文献２】特開昭６１−２８７６９２号公報
【特許文献３】特開２００７−２２３７２０号公報
【特許文献４】特開２０１３−２１６４０６号公報
【特許文献５】実開昭５９−６１１７３号公報
【発明の概要】
【発明が解決しようとする課題】
【０００４】
一つの実施形態は、パネルの照明を適切に行うことができる乗客コンベアを提供することを目的とする。
【課題を解決するための手段】
【０００５】
一つの実施形態によれば、複数の踏段とパネルと支持部材と光源とを有する乗客コンベアが提供される。複数の踏段は、無端状に連結されている。パネルは、踏段の側方に配されている。パネルは、下端面を有する。パネルは、透光性である。支持部材は、上面と空洞部とを有する。上面は、下端面に沿って延びている。上面は、下端面を下方から支持する。空洞部は、上面に離間しながら上面に沿って延びている。支持部材は、透光性である。光源は、空洞部に収容されている。光源は、少なくとも上面の側に発光する。パネルは、第１の主面と第２の主面とをさらに有する。第１の主面は、下端面の第１の端縁から延びる。第２の主面は、下端面の第２の端縁から延びる。支持部材は、本体部と第１の保持部と第２の保持部とをさらに有する。本体部は、上面を含む。第１の保持部は、本体部と一体である。第１の保持部は、上面の第１の端縁から延びて第１の主面を保持する。第２の保持部は、本体部と一体である。第２の保持部は、上面の第２の端縁から延びて第２の主面を保持する。空洞部の短手方向の幅は、前記パネルの厚さより小さい。第１の保持部の厚さは、パネルの厚さより小さい。第２の保持部の厚さは、パネルの厚さより小さい。本体部の上面と空洞部の上面との間の部分の肉厚は、平面方向に均等に分布する。
【図面の簡単な説明】
【０００６】
【図１】図１は、実施形態にかかる乗客コンベアの概略構成を示す図である。
【図２】図２は、実施形態におけるパネル及び支持部材の構成を示す断面図である。
【図３】図３は、実施形態における支持部材の構成を示す拡大断面図である。
【図４】図４は、実施形態における支持部材の構成を示す斜視図である。
【図５】図５は、実施形態の第１の変形例〜第４の変形例における支持部材の構成を示す拡大断面図である。
【図６】図６は、実施形態の第５の変形例、第６の変形例における支持部材の構成を示す拡大断面図である。
【図７】図７は、実施形態の第７の変形例における支持部材の構成を示す拡大断面図である。
【図８】図８は、実施形態の第７の変形例における支持部材の構成を示す斜視図である。
【発明を実施するための形態】
【０００７】
以下に添付図面を参照して、実施形態にかかる乗客コンベアを詳細に説明する。なお、この実施形態により本発明が限定されるものではない。
【０００８】
（実施形態）
実施形態にかかる乗客コンベアは、例えばエスカレータ又は動く歩道であり、無端状に連結された複数の踏段の両側に透光性のパネルを有する。透光性のパネルは、優雅で審美的に楽しませる外観を有するなど、意匠性を有する。乗客コンベアでは、その意匠性を向上するために、パネルを照明することがある。
【０００９】
例えば、パネルに発光板を併設し、パネルの下端と発光板の下端とをそれぞれ支持するように支持部材を構成することが考えられる。この場合、パネルの照明のために、発光板に発光するための層構造を設けることに加え、発光板を追加的に支持するために支持部材の構造を大型化することになる。これにより、パネルを照明するためのコストが増大する可能性がある。また、発光板によりパネルを側方から照明すると、パネルの光り具合にむらができやすく、パネルの適切な照明が困難である。
【００１０】
一方、パネルをガラス導光板として下方から照明できれば、パネルを全体的にむらなく光らせることができ、パネルの適切な照明が可能であり、乗客コンベアの意匠性の更なる向上が期待できる。しかし、パネルの下方には、パネルの下端を支持する支持部材があり、光源を配置することが困難である。
【００１１】
それに対して、パネルの下端を支持する支持部材を除去し、パネルの下に空洞を設け、その空洞内に光源を配置することが考えられる。この場合、パネルをデッキカバー等により側方から支持すると、パネルを安定的に支持することが困難になる。
【００１２】
そこで、本実施形態では、乗客コンベアにおいて、パネルの下端面を支持する支持部材を透光性とし、透光性の支持部材内に空洞部を設け、その空洞部内に光源を収容することで、パネルの適切な照明と安定的な支持との両立化を目指す。
【００１３】
具体的には、乗客コンベアにおいて、透光性のパネルの下端面を透光性の支持部材で支持させる。支持部材には、支持面と空洞部とを設ける。支持面は、パネルの下端面に沿って延び、パネルの下端面を支持する面である。空洞部は、支持面に離間しながら支持面に沿って延びた空間とする。そして、空洞部に光源を収容させる。光源は、少なくとも支持面の側に発光するように空洞部に収容させる。これにより、支持面と空洞部との間の肉厚を確保して支持部材の強度を向上でき、支持部材でパネルを安定的に支持できるとともに、支持部材を透光性とすることで光源の光を支持部材でパネル側へ導くことができる。これにより、パネルを適切に照明しつつパネルを安定的に支持することができる。すなわち、パネルの適切な照明と安定的な支持とを両立化できる。
【００１４】
例えば、乗客コンベア１は、図１に示すように構成され得る。図１は、乗客コンベア１の概略構成を示す図である。
【００１５】
乗客コンベア１は、例えばエスカレータ又は動く歩道である。乗客コンベア１は、構造フレーム２の内部に、駆動輪６と従動輪７との間で無端状に連結された複数の踏段５を有する。乗客コンベア１は、駆動輪６に減速機１１及び駆動チェーン９を介して電動機８から供給される動力により、複数の踏段５が駆動輪６と従動輪７との間を周回移動するよう構成される。また、乗客コンベア１では、踏段５の側方に透光性のパネル３が配される。複数の踏段５の進行方向の両脇には、複数枚のパネル３を連ねて構成されるパネル群が配されている。乗客コンベア１は、パネル群の外周に沿って環状に取り付けられた移動手すり４を有し、移動手すり４におけるパネル群の上側に位置する部分が乗客により把持されるべき欄干２７として機能する。パネル３には、例えば、透光性を有する強化ガラス、又は、透光性を有する強化プラスチックが用いられ得る。乗客コンベア１は、踏段５の移動に合わせて移動手すり４も踏段５と同方向に周回移動するよう構成されている。
【００１６】
複数のパネル３のそれぞれは、据付調整上及び構造上、隣接するパネル３との間には数ミリメートルの隙間２６を設ける必要がある。そのため、パネル３は、例えば、デッキカバー１０の上面より下方に位置しデッキカバー１０内に収納されるパネル３の下端（図２参照）において、支持部材３５により下方から支持される。支持部材３５は、１つのパネル３とその隣接するパネル３とを所定量の隙間２６（たとえば４ミリ）が設けられた状態で略鉛直方向に沿って立てられた姿勢で支持する。支持部材３５は、図１に示されるように、複数のパネル３を含むパネル群の下端に沿って長尺状に延びていてもよい。支持部材３５には、透光性を有する樹脂（例えば、透明なプラスチックなど）が用いられ得る。
【００１７】
支持部材３５は、踏段５の進行方向に沿った方向を長手方向とし、その長手方向に延びた空洞部を有し、その空洞部内に光源３６（図３参照）を収容している。各支持部材３５に収容された光源３６には、光源用電源３１が電気的に接続され、光源用電源３１から電源電力が供給可能になっている。光源３６は、例えば、ＬＥＤ（Ｌｉｇｈｔ  Ｅｍｉｓｓｉｏｎ  Ｄｉｏｄｅ）、ＬＤ（Ｌａｓｅｒ  Ｄｉｏｄｅ）等の発光素子であってもよい。
【００１８】
次に、パネル３及び支持部材３５の具体的な構成について図２を用いて説明する。図２は、パネル３及び支持部材３５の構成を示す断面図であり、図１をＡ−Ａ線に沿って切断した場合の断面を示す。図２では、鉛直方向をＺ方向とし、Ｚ方向に垂直な面内で踏段５の進行方向に沿った方向をＸ方向とし、Ｚ方向及びＸ方向に直交する方向をＹ方向とする。
【００１９】
パネル３は、−Ｙ側の主面３ａ、＋Ｙ側の主面３ｂ、−Ｚ側の端面３ｃを有する。デッキカバー１０は、踏段５の側部を閉塞するスカートガード３２に例えば＋Ｙ側で固定されている。スカートガード３２の−Ｙ側には、ブラケット３３が固定されている。ブラケット３３は、例えば、ステンレスなどの金属で形成されている。支持部材３５は、パネル３の−Ｚ側の端面３ｃとブラケット３３の＋Ｚ側の表面との間に配されている。これにより、支持部材３５は、パネル３を、少なくとも−Ｚ側の端面３ｃを介して−Ｚ側から支持する。また、パネル３及びブラケット３３の間で伝達され得る応力を支持部材３５で緩和することができる。
【００２０】
パネル３の端面３ｃの付近には、パネル３のＹ方向両側にカバー３４が主面３ａ，３ｂに沿って配されている。カバー３４は、例えば、ステンレスなどの金属で形成されている。支持部材３５は、少なくともその一部がパネル３とカバー３４との間に介在していてもよい。これにより、パネル３及びカバー３４の間で伝達され得る応力を支持部材３５で緩和することができる。
【００２１】
より具体的には、支持部材３５は、図３及び図４に示すように構成され得る。図３は、支持部材３５の構成を示す拡大断面図であり、図２におけるＢ部分を拡大したＺＹ断面図である。図４は、支持部材３５の構成を示す斜視図である。
【００２２】
支持部材３５は、ＺＹ断面視において、略逆等脚台形状を有するとともに、概ねＸ方向を長手方向とする略角柱形状を有している。支持部材３５は、支持面３５ａ、保持部３５ｂ、保持部３５ｃ、空洞部３５ｄ、底面３５ｅ、側面３５ｆ、及び側面３５ｇを有する。
【００２３】
支持面３５ａは、図３に示すように、パネル３が設置された状態で、パネル３の−Ｚ側に位置し、端面３ｃに沿ってＸＹ方向に延びている。支持面３５ａは、−Ｙ側に端縁３５ａ１を有し、＋Ｙ側に端縁３５ａ２を有する。支持面３５ａは、パネル３の端面３ｃを−Ｚ側から支持する。パネル３の端面３ｃが平坦である場合、それに対応して、支持面３５ａは、図４に示すように、平坦であってもよい。支持面３５ａは、パネル３の端面３ｃに接触して、パネル３の端面３ｃを−Ｚ側から支持してもよい。これにより、支持部材３５は、パネル３を安定的に支持することができる。
【００２４】
保持部３５ｂは、支持面３５ａの端縁３５ａ１から＋Ｚ側に突出しつつ概ねＸ方向に延びている。保持部３５ｂにおける＋Ｙ側の側面３５ｂ２は、概ねＺＸ方向に延び、パネル３の主面３ａに接触して、パネル３の主面３ａを−Ｙ側から保持してもよい。これにより、保持部３５ｂは、パネル３を安定的に保持できる。
【００２５】
同様に、保持部３５ｃは、支持面３５ａの端縁３５ａ２から＋Ｚ側に突出しつつ概ねＸ方向に延びている。保持部３５ｃは、支持面３５ａの端縁３５ａ２からパネル３の主面３ｂに沿って延びている。保持部３５ｃにおける−Ｙ側の側面３５ｃ２は、概ねＺＸ方向に延び、パネル３の主面３ｂに接触して、パネル３の主面３ｂを＋Ｙ側から保持してもよい。これにより、保持部３５ｃは、パネル３を安定的に保持できる。
【００２６】
保持部３５ｂにおける−Ｙ側の側面３５ｂ１は、概ねＺＸ方向に延び、パネル３の主面３ａに沿って延びている。側面３５ｆは、概ねＺＸ方向に延び、ブラケット３３に近づくほど徐々に＋Ｙ方向にシフトするように傾斜している。カバー３４は、−Ｙ側のカバー３４１及び＋Ｙ側のカバー３４２を有する。保持部３５ｂにおける−Ｙ側の側面３５ｂ１と側面３５ｆとは、それぞれ、＋Ｙ側からカバー３４１に接触していてもよい。これにより、パネル３とカバー３４１との間で伝達され得る応力を支持部材３５で安定的に緩和できる。
【００２７】
保持部３５ｃにおける＋Ｙ側の側面３５ｃ１は、概ねＺＸ方向に延び、パネル３の主面３ａに沿って延びている。側面３５ｇは、概ねＺＸ方向に延び、ブラケット３３に近づくほど徐々に−Ｙ方向にシフトするように傾斜している。保持部３５ｃにおける＋Ｙ側の側面３５ｃ１と側面３５ｇとは、−Ｙ側からカバー３４２に接触していてもよい。これにより、パネル３とカバー３４２との間で伝達され得る応力を支持部材３５で安定的に緩和できる。
【００２８】
底面３５ｅは、概ねＸＹ方向に延び、ブラケット３３の＋Ｚ側の面に配されている。底面３５ｅは、ブラケット３３の＋Ｚ側の面に接触していてもよい。
【００２９】
空洞部３５ｄは、ＺＹ断面視において、略円形状又は略楕円形状を有し、Ｘ方向を長手方向とする概ね略円柱形状又は略楕円柱形状を有している。図３、図４では、ＺＹ断面視において空洞部３５ｄが略楕円形状である構成が例示されている。空洞部３５ｄは、支持面３５ａから離間しながら支持面３５ａに沿って概ねＸ方向に延びている。これにより、支持部材３５は、支持面３５ａと空洞部３５ｄとの間にパネル３を支持可能な所定の肉厚を有する。空洞部３５ｄには、下地部材３８、基板３７、光源３６がそれぞれ収容されている。空洞部３５ｄのＺＹ断面における最大幅は、基板３７のＺＹ断面における最大幅に対応している。空洞部３５ｄのＹ方向における最大幅は、基板３７のＹ方向における最大幅にマージンを加えた分で若干長くなっている。
【００３０】
空洞部３５ｄでは、−Ｚ側から＋Ｚ側に、下地部材３８、基板３７、光源３６が順に配されている。下地部材３８は、−Ｚ側の面の形状が空洞部３５ｄの内面に対応した形状で構成されてもよく、＋Ｚ側の面が平坦であってもよい。これにより、下地部材３８は、基板３７に対して平坦面を提供できる。基板３７は、下地部材３８の＋Ｚ側の面に配される。基板３７は、例えばフレキシブル基板であり、Ｘ方向に延びた長尺状の基板であってもよい。光源３６は、基板３７の＋Ｚ側の面に配されている。光源３６は、基板３７の＋Ｚ側の面に、Ｘ方向に所定間隔で配される図示しない複数のチップ状の発光素子を含んでもよい。これにより、光源３６は、Ｘ方向に沿って均等にパネル３側に光を出射できる。
【００３１】
例えば、光源３６は、少なくとも＋Ｚ側に発光面を有する。光源３６は、光源用電源３１（図１参照）から電源電力が供給された際に発光する。光源３６から出射された光は、点線の矢印で示すように、空洞部３５ｄの気体を経て、透光性の支持部材３５を通り、主として、支持面３５ａから透光性のパネル３へ入射される。これにより、パネル３を−Ｚ側から均等に照明することができる。
【００３２】
以上のように、本実施形態では、乗客コンベア１において、パネル３の下端面３ｃを支持する支持部材３５を透光性とし、透光性の支持部材３５内に空洞部３５ｄを設け、その空洞部３５ｄ内に光源３６を収容する。これにより、パネル３の適切な照明と安定的な支持とを両立化できる。
【００３３】
なお、空洞部３５ｄには、下地部材３８及び基板３７の配置が省略されてもよい。この場合、光源３６は、＋Ｚ側に発光面を有すること加えて、−Ｚ側に発光面を有していてもよい。
【００３４】
支持部材１３５内における空洞部１３５ｄは、図５（ａ）に示すように、ＺＹ断面視において、略半円形状又は略半楕円形状であってもよい。図５（ａ）は、実施形態の第１の変形例における支持部材１３５の構成を示す拡大断面図である。この場合、図５（ａ）に示されるように、空洞部１３５ｄの＋Ｚ側の内面と支持面３５ａとの間における支持部材１３５の肉厚を容易に確保でき、支持面３５ａでパネル３を支持する際の支持部材１３５の強度を容易に確保できる。
【００３５】
あるいは、支持部材内における空洞部は、ＺＹ断面視において、略多角形状であってもよい。例えば、支持部材２３５内における空洞部２３５ｄは、図５（ｂ）に示すように、ＺＹ断面視において、略菱形状であってもよい。図５（ｂ）は、実施形態の第２の変形例における支持部材２３５の構成を示す拡大断面図である。この場合、図５（ｂ）に示されるように、空洞部２３５ｄの＋Ｚ側の内面と支持面３５ａとの間における支持部材２３５の平均的な肉厚を容易に確保でき、支持面３５ａでパネル３を支持する際の支持部材２３５の強度を容易に確保できる。
【００３６】
あるいは、支持部材３３５内における空洞部３３５ｄは、図５（ｃ）に示すように、ＺＹ断面視において、略矩形状であってもよい。図５（ｃ）は、実施形態の第３の変形例における支持部材３３５の構成を示す拡大断面図である。この場合、図５（ｃ）に示されるように、空洞部３３５ｄの＋Ｚ側の内面と支持面３５ａとの間における支持部材３３５の肉厚を容易に確保でき、支持面３５ａでパネル３を支持する際の支持部材３３５の強度を容易に確保できる。
【００３７】
あるいは、支持部材４３５内における空洞部４３５ｄは、図５（ｄ）に示すように、ＺＹ断面視において、略逆三角形状であってもよい。図５（ｄ）は、実施形態の第４の変形例における支持部材４３５の構成を示す拡大断面図である。この場合、図５（ｄ）に示されるように、空洞部４３５ｄの＋Ｚ側の内面と支持面３５ａとの間における支持部材４３５の肉厚を容易に確保でき、支持面３５ａでパネル３を支持する際の支持部材４３５の強度を容易に確保できる。
【００３８】
あるいは、支持部材５３５における支持面５３５ａは、図６（ａ）に示すように、空洞部３５ａの＋Ｚ側の内面に沿って＋Ｚ側に凸状に湾曲していてもよい。図６（ａ）は、実施形態の第５の変形例における支持部材５３５の構成を示す拡大断面図である。この場合、図６（ａ）に示されるように、空洞部３５ｄの＋Ｚ側の内面と支持面５３５ａとの間における支持部材５３５の肉厚を容易に確保でき、支持面５３５ａでパネル３を支持する際の支持部材５３５の強度を容易に確保できる。
【００３９】
また、パネル６０３の−Ｚ側の端面６０３ｃは、図６（ｂ）に示すように、支持面５３５ａに対応するように、＋Ｚ側に凸状に湾曲していてもよい。図６（ｂ）は、実施形態の第６の変形例における支持部材５３５の構成を示す拡大断面図である。この場合、図６（ｂ）に示されるように、支持面５３５ａとパネル６０３の端面６０３ｃとの接触面積を容易に確保できるので、支持面５３５ａでパネル３を安定的に支持できる。
【００４０】
あるいは、支持部材７３５における保持部７３５ｂ及び保持部７３５ｃは、図７、図８に示すように、それぞれ、支持面３５ａの端縁３５ａ１，３５ａ２からＺＹ方向に板状に延びていてもよい。図７は、実施形態の第７の変形例における支持部材７３５の構成を示す拡大断面図である。図８は、実施形態の第７の変形例における支持部材７３５の構成を示す斜視図である。この場合、図７、図８に示されるように、保持部７３５ｂとパネル３の主面３ａとの接触面積を容易に確保でき、保持部７３５ｃとパネル３の主面３ｂとの接触面積を容易に確保できるので、パネル３をさらに安定的に保持できる。また、保持部７３５ｂとカバー３４１との接触面積を容易に確保でき、保持部７３５ｃとカバー３４２との接触面積を容易に確保できるので、パネル３とカバー３４１，３４２との間で伝達され得る応力を支持部材７３５でさらに安定的に緩和できる。
【００４１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４２】
１  乗客コンベア、３  パネル、３５，１３５，２３５，３３５，４３５，５３５，７３５  支持部材、３６  光源。
【図１】
0006958976.tif 000002
【図２】
0006958976.tif 000003
【図３】
0006958976.tif 000004
【図４】
0006958976.tif 000005
【図５】
0006958976.tif 000006
【図６】
0006958976.tif 000007
【図７】
0006958976.tif 000008
【図８】
0006958976.tif 000009